(57)【要約】 【課題】遊技中の遊技客の動静を把握することができ、不正や間違いを未然に検出することができるようにした遊技管理システムを提供する。【解決手段】複数の遊技機島１ごとに設けられ、対応する遊技機島１に属する遊技機１０００に遊技媒体を貸し出す遊技場に適用される遊技管理システムであって、遊技機ＩＤ、貸出機ＩＤとを含む遊技情報を発信する複数の遊技情報発信装置１０と、遊技媒体容器２００ごとに設けられ、遊技情報発信装置１０から発信された遊技情報を取得するとともに、遊技機ＩＤを発信する複数の遊技情報記憶装置２０と、各遊技媒体容器２００から発信された遊技情報を取得する遊技情報受信装置３０と、遊技媒体を貸し出した遊技機１０００と該遊技機１０００から賞として払い出された遊技媒体との対応付けが正当であるか否かを判定する正当性判定装置４０とを備え、遊技媒体容器２００が遊技機１０００の近傍に近接したとき、遊技情報を照合し、各遊技媒体貸出機２と遊技機１０００から賞として払い出される遊技媒体との対応付けが正当であるか否かを判定する。【選択図】図１
2005218729.tif 000002
【特許請求の範囲】
【請求項１】
所定の遊技状態が実現された場合に所定の数量の遊技媒体を賞として払い出す複数の遊技機を設置した遊技場に適用される遊技管理システムであって、
前記複数の遊技機ごとに設けられ、対応する遊技機の識別子（以下、遊技機ＩＤと称す）、該遊技機が属する遊技機島に対応する遊技媒体貸出機の識別子（以下、貸出機ＩＤと称す）とを含む遊技情報を示す信号を電磁波に乗せて発信する複数の遊技情報発信装置と、
前記複数の遊技機の各々から賞として払い出された遊技媒体を収納するための複数の容器（以下、遊技媒体容器と称す）ごとに設けられ、対応する遊技媒体容器が使用された遊技機に対応して設けられた遊技情報発信装置から発信された電磁波を受信し、受信した電磁波に乗っている信号が示す遊技情報を取得するとともに、前記遊技機島に対応して各遊技媒体容器に付される識別子（以下、容器ＩＤと称す）を遊技情報に付加して記憶保持すると共に、記憶保持している遊技情報を示す信号を電磁波に乗せて発信する複数の遊技情報記憶装置と、
各遊技媒体容器に対応して設けられた遊技情報記憶装置から発信された電磁波を受信し、受信した電磁波に乗っている信号が示す遊技情報を取得する遊技情報受信装置と、
前記遊技情報受信装置から情報を受け、各遊技媒体貸出機が遊技媒体を貸し出した遊技機と該遊技機から賞として払い出された遊技媒体との対応付けが正当であるか否かを判定する正当性判定装置とを備え、
前記正当性判定装置は、遊技媒体容器が遊技機の近傍に近接したとき、該遊技媒体容器の容器ＩＤと、該遊技機に対応して設けられた遊技情報発信装置から送信された遊技情報とを照合し、各遊技媒体貸出機が遊技媒体を貸し出した遊技機と該遊技機から賞として払い出される遊技媒体との対応付けが正当であるか否かを判定することを特徴とする遊技管理システム。
【請求項２】
請求項１に記載の遊技管理システムにおいて、
遊技媒体容器が最初の遊技機の近傍に近接したときに予め容器ＩＤが付され、前記正当性判定装置は、遊技媒体容器が次の遊技機の近傍に近接したとき、該遊技媒体容器の容器ＩＤと、遊技機ＩＤ，貸出機ＩＤの少なくともひとつとを照合することにより該遊技媒体容器が正当に使用されていることを判断し、各遊技媒体貸出機が遊技媒体を貸し出した遊技機と該遊技機から賞として払い出される遊技媒体との対応付けが正当であるか否かを判定することを特徴とする遊技管理システム。
【請求項３】
請求項１に記載の遊技管理システムにおいて、
遊技媒体容器には予め容器ＩＤが付されていて、遊技媒体容器が最初の遊技機の近傍に近接したときに容器ＩＤと当該遊技機との関連付けがなされ、前記正当性判定装置は、遊技媒体容器が次の遊技機の近傍に近接したとき、該遊技媒体容器の容器ＩＤと、遊技機ＩＤ，貸出機ＩＤの少なくともひとつとを照合することにより該遊技媒体容器が正当に使用されていることを判断し、各遊技媒体貸出機が遊技媒体を貸し出した遊技機と該遊技機から賞として払い出される遊技媒体との対応付けが正当であるか否かを判定することを特徴とする遊技管理システム。
【請求項４】
請求項１，２または３に記載の遊技管理システムにおいて、
前記正当性判定装置の判定結果を受ける警報装置が設けられ、遊技媒体容器が遊技機の近傍に近接したときの正当性の判断に基づき、正当でない場合に警報を発することを特徴とする遊技管理システム。
【発明の詳細な説明】
【技術分野】
【０００１】
本発明は、所定の遊技状態が実現された場合に所定の数量の遊技媒体を賞として払い出す複数の遊技機を設置した遊技場に適用される遊技管理システムに関する。
【背景技術】
【０００２】
従来の遊技管理システムとしては、例えば特許文献１に示すようなものがある。  
すなわち、特許文献１の特開２００１−１９０７３８号公報には、遊技媒体容器にＩＤタグを設け、このＩＤタグに台番号を記憶させ、この記憶された台番号および計数された遊技媒体の個数と、遊技機からの台番号および遊技媒体数情報とを照合して、不正の有無を判断するようにした技術が開示されている。
【０００３】
【特許文献１】特開２００１−１９０７３８号公報
【発明の開示】
【発明が解決しようとする課題】
【０００４】
遊技媒体の単価を遊技機や遊技機島、遊技媒体貸出機などに応じて異なるようにした遊技場が提案されており、そのような場合に、前記技術では、遊技媒体の単価を遊技機や遊技機島、遊技媒体貸出機などに応じて異なるようにしておらず、また遊技媒体容器を遊技機の近傍に近接あるいは天板に載置したときに遊技媒体容器に記憶された遊技機ＩＤを、予め設定した遊技機ＩＤと照合しておらず、精度高く不正を判定することができない上に、計数時に初めて不正を検出することができるに過ぎないため、遊技途中など早期に不正を発見できなかったり、遊技者が間違えていて故意に不正行為を行っていないような場合でもそれを防止できないという問題点があった。
【０００５】
本発明は、このような従来の技術が有する問題点に着目してなされたもので、遊技中の遊技客の動静を把握することができ、不正や間違いを未然に検出することができるようにした遊技管理システムを提供することを目的としている。
【課題を解決するための手段】
【０００６】
かかる目的を達成するための本発明の要旨とするところは、次の各項の発明に存する。
［１］  所定の遊技状態が実現された場合に所定の数量の遊技媒体を賞として払い出す複数の遊技機（１０００）を設置した遊技場に適用される遊技管理システムであって、
前記複数の遊技機（１０００）ごとに設けられ、対応する遊技機（１０００）の識別子（以下、遊技機ＩＤと称す）、該遊技機（１０００）が属する遊技機島（１）に対応する遊技媒体貸出機（２）の識別子（以下、貸出機ＩＤと称す）とを含む遊技情報を示す信号を電磁波に乗せて発信する複数の遊技情報発信装置（１０）と、
前記複数の遊技機（１０００）の各々から賞として払い出された遊技媒体を収納するための複数の容器（以下、遊技媒体容器（２００）と称す）ごとに設けられ、対応する遊技媒体容器（２００）が使用された遊技機（１０００）に対応して設けられた遊技情報発信装置（１０）から発信された電磁波を受信し、受信した電磁波に乗っている信号が示す遊技情報を取得するとともに、前記遊技機島（１）に対応して各遊技媒体容器（２００）に付される識別子（以下、容器ＩＤと称す）を遊技情報に付加して記憶保持すると共に、記憶保持している遊技情報を示す信号を電磁波に乗せて発信する複数の遊技情報記憶装置（２０）と、
各遊技媒体容器（２００）に対応して設けられた遊技情報記憶装置（２０）から発信された電磁波を受信し、受信した電磁波に乗っている信号が示す遊技情報を取得する遊技情報受信装置（３０）と、
前記遊技情報受信装置（３０）から情報を受け、各遊技媒体貸出機（２）が遊技媒体を貸し出した遊技機（１０００）と該遊技機（１０００）から賞として払い出された遊技媒体との対応付けが正当であるか否かを判定する正当性判定装置（４０）とを備え、
前記正当性判定装置（４０）は、遊技媒体容器（２００）が遊技機（１０００）の近傍に近接したとき、該遊技媒体容器（２００）の容器ＩＤと、該遊技機（１０００）に対応して設けられた遊技情報発信装置（１０）から送信された遊技情報とを照合し、各遊技媒体貸出機（２）が遊技媒体を貸し出した遊技機（１０００）と該遊技機（１０００）から賞として払い出される遊技媒体との対応付けが正当であるか否かを判定することを特徴とする遊技管理システム。
【０００７】
ここで、前記遊技情報とは、対応する遊技機島（１）を特定する情報を含むものであって、遊技機ＩＤに限らず、遊技機島ＩＤ、遊技媒体貸出機ＩＤ、遊技媒体の単価情報などを含むものである。また、容器ＩＤとは、遊技媒体容器（２００）が属する遊技媒体の単価に対応して遊技媒体容器（２００）に付されるもので、遊技媒体容器（２００）に固有の値として付される場合、遊技媒体容器（２００）が遊技に使用された場合に、当該遊技の遊技媒体の単価に対応するものとして遊技媒体容器（２００）に付される場合を含むものである。
【０００８】
［２］  項１に記載の遊技管理システムにおいて、
遊技媒体容器（２００）が最初の遊技機（１０００）の近傍に近接したときに予め容器ＩＤが付され、前記正当性判定装置（４０）は、遊技媒体容器（２００）が次の遊技機（１０００）の近傍に近接したとき、該遊技媒体容器（２００）の容器ＩＤと、遊技機ＩＤ，貸出機ＩＤの少なくともひとつとを照合することにより該遊技媒体容器（２００）が正当に使用されていることを判断し、各遊技媒体貸出機（２）が遊技媒体を貸し出した遊技機（１０００）と該遊技機（１０００）から賞として払い出される遊技媒体との対応付けが正当であるか否かを判定することを特徴とする遊技管理システム。
【０００９】
［３］  項１に記載の遊技管理システムにおいて、
遊技媒体容器（２００）には予め容器ＩＤが付されていて、遊技媒体容器（２００）が最初の遊技機（１０００）の近傍に近接したときに容器ＩＤと当該遊技機（１０００）との関連付けがなされ、前記正当性判定装置（４０）は、遊技媒体容器（２００）が次の遊技機（１０００）の近傍に近接したとき、該遊技媒体容器（２００）の容器ＩＤと、遊技機ＩＤ，貸出機ＩＤの少なくともひとつとを照合することにより該遊技媒体容器（２００）が正当に使用されていることを判断し、各遊技媒体貸出機（２）が遊技媒体を貸し出した遊技機（１０００）と該遊技機（１０００）から賞として払い出される遊技媒体との対応付けが正当であるか否かを判定することを特徴とする遊技管理システム。
【００１０】
［４］  項１，２または３に記載の遊技管理システムにおいて、
前記正当性判定装置（４０）の判定結果を受ける警報装置が設けられ、遊技媒体容器（２００）が遊技機（１０００）の近傍に近接したときの正当性の判断に基づき、正当でない場合に警報を発することを特徴とする遊技管理システム。
【００１１】
前記本発明は次のように作用する。  
本発明に係る遊技管理システムでは、複数の遊技機（１０００）が群をなし、遊技媒体を貸し出す複数の遊技媒体貸出機（２）が夫々遊技機島（１）に対応して遊技媒体を貸し出し、各群に属する遊技機（１０００）は所定の遊技状態が実現された場合に所定の数量の遊技媒体を賞として払い出す。
【００１２】
遊技機（１０００）ごとに設けられた遊技情報発信装置（１０）は、対応する遊技機（１０００）の識別子である遊技機ＩＤと、その遊技機（１０００）が属する遊技機島（１）に対応する遊技媒体貸出機（２）の識別子である貸出機ＩＤと、遊技時間情報および当該遊技時間での獲得遊技媒体数を含む遊技情報を示す信号を電磁波に乗せて発信する。
【００１３】
遊技媒体容器（２００）は、前記複数の遊技機（１０００）の各々から賞として払い出された遊技媒体を収納し、遊技情報記憶装置（２０）により、対応する遊技媒体容器（２００）が使用された遊技機（１０００）に対応して設けられた遊技情報発信装置（１０）から発信された電磁波を受信し、受信した電磁波に乗っている信号が示す遊技情報を取得するとともに、該遊技機（１０００）に対応して該遊技媒体容器（２００）に付される識別子（以下、容器ＩＤと称す）および、遊技時間を遊技情報に付加して記憶保持し、記憶保持している遊技情報を示す信号を電磁波に乗せて発信する。
【００１４】
前記のように、容器ＩＤは、遊技媒体容器（２００）が属する遊技媒体の単価に対応して遊技媒体容器（２００）に付され、遊技媒体容器（２００）に固有の値として付される場合、遊技媒体容器（２００）が遊技に使用された場合に、当該遊技の遊技媒体の単価に対応するものとして遊技媒体容器（２００）に付される場合がある。
【００１５】
遊技情報受信装置（３０）は、数量を計数すべき遊技媒体を収納している遊技媒体容器（２００）に対応して設けられた遊技情報記憶装置（２０）から発信された電磁波を受信し、受信した電磁波に乗っている信号が示す遊技情報を取得する。
【００１６】
正当性判定装置（４０）は、前記遊技情報受信装置（３０）から情報を受け、各遊技媒体貸出機（２）が遊技媒体を貸し出した遊技機（１０００）と該遊技機（１０００）から賞として払い出された遊技媒体との対応付けが正当であるか否かを判定する。
【００１７】
特に、正当性判定装置（４０）は、遊技媒体容器（２００）が遊技機（１０００）の近傍に近接したとき、該遊技媒体容器（２００）の容器ＩＤと、該遊技機（１０００）に対応して設けられた遊技情報発信装置（１０）から送信された遊技情報とを照合し、各遊技媒体貸出機（２）が遊技媒体を貸し出した遊技機（１０００）と該遊技機（１０００）から賞として払い出される遊技媒体との対応付けが正当であるか否かを判定する。
【００１８】
遊技媒体容器（２００）が最初の遊技機（１０００）の近傍に近接したときに予め容器ＩＤが付される場合、正当性判定装置（４０）は、遊技媒体容器（２００）が次の遊技機（１０００）の近傍に近接したとき、該遊技媒体容器（２００）の容器ＩＤと、遊技機ＩＤ，貸出機ＩＤの少なくともひとつとを照合することにより該遊技媒体容器（２００）が正当に使用されていることを判断する。
【００１９】
これにより、各遊技媒体貸出機（２）が遊技媒体を貸し出した遊技機（１０００）と該遊技機（１０００）から賞として払い出される遊技媒体との対応付けが正当であるか否かが判定される。
【００２０】
正当性判定装置（４０）は、遊技媒体容器（２００）が次の遊技機（１０００）の近傍に近接したとき、遊技媒体容器（２００）の容器ＩＤと、遊技機ＩＤ，貸出機ＩＤの少なくともひとつとを照合することにより該遊技媒体容器（２００）が正当に使用されていることを判断し、それにより、各遊技媒体貸出機（２）が遊技媒体を貸し出した遊技機（１０００）と該遊技機（１０００）から賞として払い出される遊技媒体との対応付けが正当であるか否かが判定される。
【００２１】
正当性判定装置（４０）の判定結果を受けた警報装置は、遊技媒体容器（２００）が遊技機（１０００）の近傍に近接したときの正当性の判断に基づき、正当でない場合に警報を発する。また、正当性判定装置（４０）の判定結果を受けた発射停止装置は、遊技媒体容器（２００）が遊技機（１０００）の近傍に近接したときの正当性の判断に基づき、正当でない場合に遊技のための遊技機（１０００）での遊技媒体の発射を阻止し、不正を未然に防止することもできる。
【発明の効果】
【００２２】
本発明にかかる遊技管理システムによれば、遊技媒体容器を遊技機の近傍に近接あるいは天板に載置したときに遊技媒体容器に記憶された遊技機ＩＤを予め設定した容器ＩＤと照合して正当性を判定するので、遊技中でも精度高く不正を判定することができ、早期に不正を感知し、遊技客が間違えたような場合でも不正に至るのを未然に防止することができる。
【発明を実施するための最良の形態】
【００２３】
以下、図面に基づき本発明の好適な各種の実施の形態を説明する。  
図１〜図８は本発明の第１の実施の形態を示している。  
本実施の形態に係る遊技管理システムが適用される遊技場のレイアウトは、図１０に示されるようなものである。すなわち、遊技場においては、一般に、図１０に示すように、複数の遊技機１０００が遊技機島１に多数設置されたレイアウトとなっている。さらに、遊技場においては、遊技者が遊技対象とする遊技機１０００に遊技媒体を貸し出すための複数の遊技媒体貸出機２と、遊技者が遊技終了時に所持している遊技媒体の数量を計数するための複数の遊技媒体計数機３とが設置されている。
【００２４】
最近は、プリペイドカードの普及に伴って、図１０に示すように、１台の遊技機１０００に対応して遊技媒体貸出機２が設置されるようにした遊技場が増加している。遊技機１０００からなる遊技機島１に対して１台または複数の遊技媒体計数機３が設置されるようにした遊技場もある。
【００２５】
また、複数の遊技機１０００からなる遊技機島１に対して複数の遊技媒体貸出機２が設置されるようになっている場合でも、遊技媒体貸出機２が遊技媒体を貸し出す遊技機１０００は、その位置関係から自ずと決まっている。
【００２６】
なお、図１０では示していないが、景品交換カウンターには、遊技媒体計数機３が発行した記録媒体を読み取るための読取装置が設置されており、また、例えば、景品交換カウンター内や遊技場の事務所等の、遊技者に見えない場所に、正当性判定装置４０が設置されている。
【００２７】
図１は、遊技管理システムの概念図である。図１においては、遊技媒体貸出機２、遊技媒体計数機３、容器媒体重量計４、遊技情報発信装置１０、遊技情報記憶装置２０、遊技情報受信装置３０、正当性判定装置４０が配設されている。
【００２８】
容器媒体重量計４は、複数ある各遊技機１０００ごとに設けられており、各遊技機１０００の近傍に遊技媒体容器２００が置かれたとき、当該遊技媒体容器２００中の遊技媒体の個数を重量から見積もるものである。ここでは、遊技媒体容器２００の重量は後述するＩＣタグに予め記憶されており、容器媒体重量計４で計量された重量から、記憶されている遊技媒体容器２００の重量を減算し、遊技媒体１個の重量で除算することにより遊技媒体の個数を見積もる。従って、遊技媒体容器２００の重量が異なっても正確に遊技媒体の個数を見積もることができる。実施例では、遊技媒体重量計４は、ロードセルや静電容量式の重量検出器を想定しているが、重量検出器はこれらに限定されず、要は重量を計測できるものであればよい。
【００２９】
遊技情報発信装置１０は、複数の遊技機１０００ごとに設けられ、対応する遊技機１０００の識別子（遊技機ＩＤ）、あるいは該遊技機１０００が属する遊技機島１に対応する遊技媒体貸出機２の識別子（貸出機ＩＤ）、あるいは遊技機島１の識別子（遊技機島ＩＤ）と遊技時間情報を含む遊技情報を示す信号を電磁波に乗せて発信するものである。また、遊技情報発信装置１０は、これらの遊技情報に加えて遊技媒体数情報を、正当性判定装置４０に送信するものである。
【００３０】
遊技媒体容器２００は遊技機１０００から賞として払い出された遊技媒体を収納する容器である。
【００３１】
遊技情報記憶装置２０は、遊技媒体容器２００ごとに設けられ、対応する遊技媒体容器２００が使用された遊技機１０００に対応して設けられた遊技情報発信装置１０から発信された電磁波を受信し、受信した電磁波に乗っている信号が示す遊技情報を取得するとともに、遊技機ＩＤ、あるいは貸出機ＩＤ、あるいは遊技機島ＩＤおよび、遊技時間を遊技情報に付加して記憶保持し、記憶保持している遊技情報を示す信号を電磁波に乗せて発信するものである。
【００３２】
つまり、図７に示すように、遊技機ＩＤが０１である遊技媒体容器２００が遊技機ＩＤ１０１から１０３の同一遊技機島１に使用され、それらが遊技機１０００の近傍に近接し載置された場合、遊技媒体容器２００の遊技情報記憶装置２０には遊技機ＩＤ１０１から１０３が記憶される。また、図８に示すように、同じ遊技媒体容器２００が異なる遊技群に移動して、遊技機ＩＤ１０４から１０６の遊技機島１に使用されれば、それらが遊技機１０００の近傍に近接し載置された場合、遊技媒体容器２００の遊技情報記憶装置２０には遊技機ＩＤ１０４から１０６が記憶されることになる。
【００３３】
遊技媒体容器２００には、容器ＩＤとして例えば０Ａが付される。この容器ＩＤは、遊技媒体容器２００が最初の遊技機１０００の近傍に近接したときに予め付される場合がある。また、遊技媒体容器２００に予め容器ＩＤが付される場合もある。
【００３４】
遊技情報受信装置３０は、例えば、遊技媒体計数機３に設けられ、数量を計数すべき遊技媒体を収納している遊技媒体容器２００に対応して設けられた遊技情報記憶装置２０から発信された電磁波を受信し、受信した電磁波に乗っている信号が示す前記のような容器ＩＤ、遊技機ＩＤや遊技機島ＩＤ、遊技時間情報を含む遊技情報を取得し、また、遊技情報発信装置１０も、遊技機ＩＤと当該遊技機ＩＤに、当該遊技媒体容器２００に応じた遊技時間および、当該遊技時間での獲得遊技媒体数をデータとして送信するものである。
【００３５】
図２は遊技情報発信装置１０，遊技情報記憶装置２０，遊技情報受信装置３０の構成例を示すブロック図である。図２に示すように、遊技情報発信装置１０は、遊技情報を記憶保持しているメモリ１１と、メモリ１１が記憶保持している遊技情報をアナログ信号にＤ／Ａ変換し、Ｄ／Ａ変換したアナログ信号を電磁波に変調して送信する送信器１２と、メモリ１１が記憶保持している遊技情報を遊技媒体計数機３に送信する送信回路１３とを有した構成となっている。
【００３６】
遊技情報記憶装置２０は、遊技情報発信装置１０の送信器１２から送信された電磁波を受信してアナログ信号に復調し、復調したアナログ信号をＤ／Ａ変換して遊技情報を取得する受信器２１と、受信器２１が取得した遊技情報を記憶保持するメモリ２２と、メモリ２２が記憶保持している遊技情報をアナログ信号にＤ／Ａ変換し、Ｄ／Ａ変換したアナログ信号を電磁波に変調して送信する送信器２３とを有した構成とすることができる。
【００３７】
遊技情報受信装置３０は、遊技情報記憶装置２０の送信器２３から送信された電磁波を受信してアナログ信号に復調し、復調したアナログ信号をＡ／Ｄ変換して遊技情報を取得する受信器３１と、受信器３１が取得した遊技情報を遊技媒体計数機３に出力する出力回路３２とを有した構成とすることができる。
【００３８】
図３に示すように、遊技情報発信装置１０および遊技情報受信装置３０が、各々、遊技情報記憶装置２０の電源を投入するための電源投入用の電磁波を発信する発信回路１４，３３をさらに有した構成とし、遊技情報記憶装置２０が、遊技情報発信装置１０の発信回路１４および遊技情報受信装置３０の発信回路３３から発信された電磁波を受信し、受信した電磁波を電力に変換することで、動作電源を作る電源回路２４をさらに有した構成とすることができる。このようにすると、遊技情報記憶装置２０の消費電力を抑えることが可能となる。このとき、電源回路２４は、変換した電力を蓄積するバッテリーを持っているようにし、メモリ２２は、ＥＥＰＲＯＭ等の不揮発性メモリであるようにすることが好ましい。
【００３９】
遊技情報発信装置１０および遊技情報受信装置３０の電源は、商用のＡＣ電源から供給されているものである。また、遊技情報発信装置１０および遊技情報記憶装置２０は、遊技情報を示す信号を電磁波に乗せる代わりに、光ファイバー等の光通信機器を用いてもよい。
【００４０】
遊技情報発信装置１０のメモリ１１に所望の遊技情報を記憶保持させるためには、遊技情報を設定する遊技情報設定装置を備えるようにすればよい。遊技情報設定装置は、外部から入力された遊技情報を取得し、取得した遊技情報に含まれている遊技機ＩＤが示す遊技機１０００に対応する遊技情報発信装置１０に、取得した遊技情報を送信するようにすれば、遊技情報発信装置１０は、遊技情報設定装置から送信された遊技情報を、メモリ１１に記憶保持することが可能となる。
【００４１】
図４に示すように、遊技情報記憶装置２０が、遊技媒体容器２００の底部に設けられ、図５に示すように、遊技情報発信装置１０が、複数の遊技機１０００からなる遊技機島１の天板５０に対応する遊技機１０００で使用される遊技媒体容器２００が置かれる部位に設けられ、図６に示すように、遊技情報受信装置３０が、遊技媒体計数機３中の、数量を計数すべき遊技媒体を収納している遊技媒体容器２００が置かれる部位に設けられるようにすることができる。
【００４２】
このようにすると、遊技情報発信装置１０と遊技情報記憶装置２０との距離、および、遊技情報記憶装置２０および遊技情報受信装置３０の距離が近くなるので、遊技情報発信装置１０が発信する電磁波の到達範囲、および、遊技情報記憶装置２０が発信する電磁波の到達範囲を狭くすることが可能となり、遊技情報発信装置１０，遊技情報記憶装置２０，遊技情報受信装置３０の装置構成および消費電力を抑えることが可能となる。
【００４３】
また、遊技機１０００に対応して設けられた遊技情報発信装置１０が電磁波に乗せて発信した信号が示す遊技情報を、遊技媒体容器２００に設けられた遊技情報記憶装置２０に記憶保持することができる。
【００４４】
ここで遊技者は、遊技開始時に、遊技媒体を借り受けるために、遊技媒体貸出機２に現金またはプリペイドカードを投入して所望の金額を指定し、遊技媒体貸出機２は、指定された金額に見合った貸し出すべき遊技媒体の数量を受け取る。
【００４５】
遊技者は、遊技終了時に、手元に残った遊技媒体（景品玉）の数量を計数するために、該遊技媒体を収納した遊技媒体容器２００を、遊技媒体計数機３の所定の部位に設置するようになっている。
【００４６】
遊技媒体計数機３は、遊技者が遊技媒体容器２００を所定の部位に設置すると、該遊技媒体容器２００に収納されている遊技媒体の数量を計数し、計数結果を印刷したレシートまたは計数結果を記録したカード等の記録媒体を発行するものである。この記録媒体には、遊技機ＩＤと当該遊技機ＩＤに、当該遊技媒体容器２００に応じた遊技時間および、計数した遊技媒体容器２００中の獲得遊技媒体数を記録媒体に書き込むようになっている。遊技情報受信装置３０が取得した遊技情報は正当性判定装置４０に送信するようになっている。
【００４７】
正当性判定装置４０は、遊技媒体計数機３から送信された遊技情報と、該遊技情報に含まれている遊技機ＩＤが示す遊技機１０００に対応して設けられた遊技情報発信装置１０から送信された遊技情報とを照合することで、遊技媒体計数機３が数量を計数した遊技媒体（遊技媒体容器２００に収納されていた遊技媒体）と、該遊技媒体を払い出した遊技機１０００および該遊技機１０００に遊技媒体を貸し出した遊技媒体貸出機２との対応付けが正当であるか否かを判定するようになっている。
【００４８】
特に、正当性判定装置４０は、遊技媒体容器２００が遊技機１０００の近傍に近接したとき、該遊技媒体容器２００の容器ＩＤと、該遊技機１０００に対応して設けられた遊技情報発信装置１０から送信された遊技情報とを照合し、各遊技媒体貸出機２が遊技媒体を貸し出した遊技機１０００と該遊技機１０００から賞として払い出される遊技媒体との対応付けが正当であるか否かを判定するものである。この判定結果は、遊技中の不正を発見し、その防止に利用される。
【００４９】
さらに、正当性判定装置４０は、各遊技機ＩＤと当該遊技機ＩＤに、当該遊技媒体容器２００に応じた遊技時間および、計数した遊技媒体容器２００中の獲得遊技媒体数を含む遊技情報と、該遊技情報に含まれている遊技機ＩＤが示す遊技機１０００に対応して設けられた遊技情報発信装置１０から送信された各遊技媒体容器２００ごとの、遊技機ＩＤと当該遊技機ＩＤに、当該遊技媒体容器２００に応じた遊技時間および、当該遊技時間の獲得遊技媒体数を含む遊技情報とを照合することで、遊技媒体計数機３が数量を計数した遊技媒体と、該遊技媒体を払い出した遊技機１０００および該遊技機１０００に遊技媒体を貸し出した遊技媒体貸出機２とを対応付けが正当であるか否かを判定するようになっている。
【００５０】
そこで、正当性判定装置４０が、判定結果を遊技媒体計数機３に送信するようにすることにより、遊技媒体計数機３が、正当性判定装置４０から送信された判定結果の対応付けが正当である旨を示している場合には、遊技情報受信装置３０が取得した遊技情報と、自身の計数結果とを記録した記録媒体を発行し、正当性判定装置４０から送信された判定結果の対応付けが正当でない旨を示している場合には、遊技情報受信装置３０が取得した遊技情報と、自身の計数結果と、所定の記号とを記録した記録媒体を発行するようにすることができる。なお、遊技媒体計数機３は、正当性判定装置４０から送信された判定結果が正当でない旨を示している場合には、警報を発するなど、その旨を外部に通知するようにすることができる。
【００５１】
また、正当性判定装置４０が、遊技機ＩＤごとに、該遊技機ＩＤが示す遊技機１０００から賞として払い出される遊技媒体の単価を記憶するようにし、遊技媒体計数機３から送信された遊技情報に含まれている遊技機ＩＤ（すなわち、遊技媒体計数機３が数量を計数した遊技媒体を払い出した遊技機１０００の遊技機ＩＤ）に対応する単価を求め、求めた単価を遊技媒体計数機３に送信するようにすれば、遊技媒体計数機３は、正当性判定装置４０から送信された単価を、発行する記録媒体にさらに記録するようにすることができる。正当性判定装置４０が記憶している単価に、任意の金額を設定する単価設定装置を備えるようにすれば、遊技場側は、交換時の遊技媒体の単価を、極め細かい金額に設定することができるようになる。
【００５２】
また、遊技媒体計数機３が、遊技機ＩＤごとに、該遊技機ＩＤが示す遊技機１０００から賞として払い出される遊技媒体の単価を記憶するようにし、遊技情報受信装置３０が取得した遊技情報に含まれている遊技機ＩＤ（すなわち、数量を計数した遊技媒体を払い出した遊技機１０００の遊技機ＩＤ）に対応する単価を求め、求めた単価を、発行する記録媒体にさらに記録するようにすることができる。遊技媒体計数機３が記憶している単価に、任意の金額を設定する単価設定装置を備えるようにすれば、遊技場側は、交換時の遊技媒体の単価を、極め細かい金額に設定することができるようになる。
【００５３】
上述したいずれの実施形態においても、遊技媒体貸出機２は、対応する遊技機島１に属する遊技機１０００に貸し出す遊技媒体の単価を記憶するようにすることができる。このようにした場合、遊技媒体貸出機２は、遊技者が現金またはプリペイドカードを投入して所望の金額を指定すると、指定された金額を、記憶している単価で割ることで、貸し出すべき遊技媒体の数量を求め、求めた数量の遊技媒体を貸し出すようになる。そこで、遊技媒体貸出機２が記憶している単価に、任意の金額を設定する単価設定装置を備えるようにすれば、遊技場側は、貸出時の遊技媒体の単価を、極め細かい金額に設定することができるようになる。
【００５４】
また遊技者は、遊技媒体計数機３の計数結果である遊技媒体の数量に応じた景品を取得するために、遊技媒体計数機３が発行した記録媒体を景品交換カウンターに持参するようになっており、景品交換カウンターには、遊技者が持参した記録媒体の記録内容を読み取って出力する読取装置が設置されているので、景品交換カウンターでは、遊技場の担当者が、読取装置が出力した記録内容のうちの、遊技媒体計数機３の計数結果である遊技媒体の数量を確認し、遊技者は、該遊技媒体の数量に応じた景品を取得することができる。このとき、読取装置が出力した記録内容の中に、所定の記号が記録されている場合には、遊技場の担当者は、遊技者から事情を聞くなどの対処を行うことができる。なお、正当性判定装置４０は、パーソナルコンピュータ等の情報処理装置によって実現することができる。
【００５５】
次に作用を説明する。  
遊技情報発信装置１０は、発信回路１４によって、遊技情報記憶装置２０の電源を投入するための電源投入用の電磁波を発信しているので、遊技情報発信装置１０に対応する遊技機１０００から払い出された遊技媒体を収納するために、遊技媒体容器２００が図５に示す天板５０上に置かれると、該遊技媒体容器２００に設けられた遊技情報記憶装置２０は、電源回路２４によって、遊技情報発信装置１０の発信回路１４から発信された電源投入用の電磁波を受信し、受信した電磁波を電力に変換することで、動作電源を作るので、その動作を開始する。
【００５６】
また、遊技情報発信装置１０は、送信器１２によって、メモリ１１が記憶保持している遊技情報をアナログ信号にＤ／Ａ変換し、Ｄ／Ａ変換したアナログ信号を電磁波に変調して送信するので、遊技情報記憶装置２０は、動作を開始すると、受信器２１によって遊技情報発信装置１０の送信器１２から送信された電磁波を受信し、アナログ信号に復調し、復調したアナログ信号をＡ／Ｄ変換して遊技情報を取得し、メモリ２２によって、受信器２１が取得した遊技情報を記憶保持する。さらに、遊技情報発信装置１０は、送信回路１３によって、送信器１２が電磁波として送信した遊技情報と同じ遊技情報を、正当性判定装置４０に送信する。
【００５７】
遊技情報受信装置３０は、発信回路３３によって、遊技情報記憶装置２０の電源を投入するための電源投入用の電磁波を所定の範囲内に発信している。このため、遊技媒体容器２００に収納されている遊技媒体の数量を計数するために、遊技媒体容器２００が図６に示す部位に置かれると、該遊技媒体容器２００に設けられた遊技情報記憶装置２０は、電源回路２４によって、遊技情報発信装置１０の発信回路１４から発信された電源投入用の電磁波を受信し、受信した電磁波を電力に変換することで、動作電源を作るので、その動作を開始する。
【００５８】
遊技情報記憶装置２０は、動作を開始すると、送信器２３によって、メモリ２２が記憶保持している遊技情報をアナログ信号にＤ／Ａ変換し、Ｄ／Ａ変換したアナログ信号を電磁波に変調して送信する。このため、遊技情報受信装置３０は、受信器３１によって、遊技情報記憶装置２０の送信器２３から送信された電磁波を受信してアナログ信号に復調し、復調したアナログ信号をＡ／Ｄ変換して遊技情報を取得し、出力回路３２によって、受信器３１が取得した遊技情報を遊技媒体計数機３に出力する。
【００５９】
遊技媒体計数機３は、遊技媒体容器２００に収納されている遊技媒体の数量を計数し、計数結果を印刷したレシートまたは計数結果を記録したカード等の記録媒体を発行するものであるが、本実施例においては、遊技媒体計数機３は、さらに、記録媒体を発行する前に、遊技情報受信装置３０が取得した遊技情報を正当性判定装置４０に送信する。
【００６０】
遊技中においては、正当性判定装置４０は、遊技媒体容器２００が遊技機１０００の近傍に近接したとき、該遊技媒体容器２００の容器ＩＤと、該遊技機１０００に対応して設けられた遊技情報発信装置１０から送信された遊技情報とを照合し、各遊技媒体貸出機２が遊技媒体を貸し出した遊技機１０００と該遊技機１０００から賞として払い出される遊技媒体との対応付けが正当であるか否かを判定するものである。この判定結果は、遊技中の不正を発見し、その防止に利用される。
【００６１】
特に、正当性判定装置４０は、遊技媒体容器２００が遊技機１０００の近傍に近接したとき、該遊技媒体容器２００の容器ＩＤと、該遊技機１０００に対応して設けられた遊技情報発信装置１０から送信された遊技情報とを照合し、各遊技媒体貸出機２が遊技媒体を貸し出した遊技機１０００と該遊技機１０００から賞として払い出される遊技媒体との対応付けが正当であるか否かを判定する。
【００６２】
遊技媒体容器２００が最初の遊技機１０００の近傍に近接したときに予め容器ＩＤが付される場合、正当性判定装置４０は、遊技媒体容器２００が次の遊技機１０００の近傍に近接したとき、該遊技媒体容器２００の容器ＩＤと、遊技機ＩＤ，貸出機ＩＤの少なくともひとつとを照合することにより該遊技媒体容器２００が正当に使用されていることを判断する。
【００６３】
これにより、各遊技媒体貸出機２が遊技媒体を貸し出した遊技機１０００と該遊技機１０００から賞として払い出される遊技媒体との対応付けが正当であるか否かが判定される。
【００６４】
遊技媒体容器２００に予め容器ＩＤが付されている場合は、遊技媒体容器２００が最初の遊技機１０００の近傍に近接したときに容器ＩＤと当該遊技機１０００との関連付けがなされる。
【００６５】
正当性判定装置４０は、遊技媒体容器２００が次の遊技機１０００の近傍に近接したとき、遊技媒体容器２００の容器ＩＤと、遊技機ＩＤ，貸出機ＩＤの少なくともひとつとを照合することにより該遊技媒体容器２００が正当に使用されていることを判断し、それにより、各遊技媒体貸出機２が遊技媒体を貸し出した遊技機１０００と該遊技機１０００から賞として払い出される遊技媒体との対応付けが正当であるか否かが判定される。
【００６６】
正当性判定装置４０は、遊技媒体計数機３から送信された遊技情報と、該遊技情報に含まれている遊技機ＩＤが示す遊技機１０００に対応して設けられた遊技情報発信装置１０から送信された遊技情報とを照合することができるようになるので、遊技媒体計数機３が数量を計数した遊技媒体（遊技媒体容器２００に収納されていた遊技媒体）と、該遊技媒体を払い出した遊技機１０００および該遊技機１０００に遊技媒体のパチンコ玉を貸し出した遊技媒体貸出機２との対応付けが正当であるか否かを判定することができるようになる。
【００６７】
そこで、正当性判定装置４０は、遊技媒体計数機３から送信された遊技情報について、遊技機ＩＤと当該遊技機ＩＤに、当該遊技媒体容器２００に応じた遊技時間および、計数した遊技媒体容器２００中の獲得遊技媒体数を含む遊技情報と、該遊技情報に含まれている遊技機ＩＤが示す遊技機１０００に対応して設けられた遊技情報発信装置１０から送信された各遊技媒体容器２００ごとの、各遊技機ＩＤと当該遊技機ＩＤに、当該遊技媒体容器２００に応じた遊技時間および、当該遊技時間の獲得遊技媒体数を含む遊技情報とを照合する。
【００６８】
そうして、送信されている遊技情報に含まれている遊技媒体数と、遊技媒体計数機３から送信された記録内容のうちの計数結果との差が、所定の範囲内である場合に、遊技媒体計数機３が数量を計数した遊技媒体（遊技媒体容器２００に収納されていた遊技媒体）と、該遊技媒体を払い出した遊技機１０００および該遊技機１０００に遊技媒体のパチンコ玉を貸し出した遊技媒体貸出機２との対応付けが正当である旨を示す判定結果を、遊技媒体計数機３に返送し、そうでない場合に、対応付けが正当でない旨を示す判定結果を、遊技媒体計数機３に返送する。
【００６９】
これを受けた遊技媒体計数機３は、正当性判定装置４０から返送された判定結果が正当である旨を示している場合には、遊技情報受信装置３０が取得した遊技情報と、自身の計数結果とを記録した記録媒体を発行し、正当性判定装置４０から返送された判定結果が正当でない旨を示している場合には、遊技情報受信装置３０が取得した遊技情報と、自身の計数結果と、所定の記号とを記録した記録媒体を発行するようになっている。
【００７０】
なお、遊技媒体計数機３は、さらに、遊技機ＩＤごとに、該遊技機ＩＤが示す遊技機１０００から賞として払い出される遊技媒体の単価を記憶するようにし、遊技情報受信装置３０が取得した遊技情報に含まれている遊技機ＩＤ（すなわち、数量を計数した遊技媒体を払い出した遊技機１０００の遊技機ＩＤ）に対応する単価を求め、求めた単価を、発行する記録媒体にさらに記録する。
【００７１】
正当性判定装置４０の判定結果は、遊技媒体計数機３に返送され、遊技媒体計数機３が発行する記録媒体に記録されるので、遊技媒体計数機３が発行した記録媒体の記録内容を読み取って出力する読取装置が設置されている景品交換カウンターでは、遊技場の担当者が、読取装置が出力した記録内容の中に所定の記号が存在する場合には、該記録媒体を持参した遊技者から事情を聞くなどの対処を行うことができ、遊技者の不正を防止することが可能となる。
【００７２】
また、前記したように、遊技者は、遊技開始時に、遊技媒体のパチンコ玉を借り受けるために、遊技媒体貸出機２に現金またはプリペイドカードを投入して所望の金額を指定するので、遊技媒体貸出機２は、指定された金額を所定の金額（４円）で割ることで、貸し出すべき遊技媒体であるパチンコ玉の数量を求めるようになっている。本実施の形態でも、さらに、上記第１の実施例と同様に、遊技媒体貸出機２が、対応する遊技機島１に属する遊技機１０００に貸し出すパチンコ玉の単価を記憶するようにすることができる。
【００７３】
このようにした場合、遊技媒体貸出機２は、遊技者が現金またはプリペイドカードを投入して所望の金額を指定すると、指定された金額を、記憶している単価で割ることで、貸し出すべきパチンコ玉の数量を求め、求めた数量のパチンコ玉を貸し出すようになる。そこで、遊技媒体貸出機２が記憶している単価に、任意の金額を設定する単価設定装置を備えるようにすれば、遊技場側は、貸出時のパチンコ玉の単価を、極め細かい金額に設定することができるようになる。
【００７４】
図９は本発明の第２の実施の形態を示している。  
図９は、第２の実施の形態に係る遊技管理システムの要部を示す概念図である。図９においては、容器媒体重量計４、正当性判定装置４０が配設されており、それに管理装置６と、それに備えた警報装置７、発射停止装置８が設けられている。
【００７５】
本実施の形態では、遊技機ＩＤ「１０１」…の遊技機島１に対応する「０Ａ」という容器ＩＤを予め遊技媒体容器２００のＩＣタグに記憶させ、その遊技媒体容器２００を遊技者が持って図７から図８のように遊技機ＩＤ「１０４」の遊技機１０００に移動して、天板５０上に遊技媒体容器２００を近接し載置した場合を考えた場合、遊技媒体容器２００の遊技情報記憶装置２０から、図８に示すような遊技機ＩＤ「１０４」の遊技機１０００の前の天板５０上に設けられた遊技情報受信装置３０を介して容器ＩＤ「０Ａ」という遊技媒体容器情報が正当性判定装置４０に出力される。
【００７６】
ここで、正当性判定装置４０の設定部には、遊技機ＩＤ「１０１」に対応して容器ＩＤ「０Ａ」が予め設定されるとともに、遊技機ＩＤ「１０４」に対応して容器ＩＤ「０Ｄ」が予め設定されている。このため、正当性判定装置４０は、遊技媒体容器２００のＩＣタグに記憶された容器ＩＤ「０Ａ」を、予め設定された容器ＩＤ「０Ｄ」と照合し、容器ＩＤ「０Ａ」と容器ＩＤ「０Ｄ」とが一致していないと判定して、管理装置の警報装置７を作動させる。この結果、警報装置７により警報が発せられる。
【００７７】
また、発射停止装置８は、遊技機１０００の遊技媒体発射ハンドルに対して遊技媒体の発射を強制的に停止させる発射停止信号を出力する。具体的には、遊技媒体発射ハンドルに設けられた発射レバーの操作に応じて駆動されるステッピングモータやソレノイドに対して駆動を強制的に停止させる信号を出力する。このため、正当性判定装置４０によって遊技媒体容器２００のＩＣタグに記憶された容器ＩＤ「０Ａ」が、予め設定された容器ＩＤ「０Ｄ」と一致していないと判定された場合、発射停止装置８から発射停止信号が遊技機ＩＤ「１０４」の遊技機１０００の遊技媒体発射ハンドルに出力されて、遊技機ＩＤ「１０４」の遊技機１０００による遊技媒体の発射が強制的に停止される。
【００７８】
遊技機ＩＤ「１０１」の遊技機１０００から払い出された遊技媒体を、群が異なる遊技機ＩＤ「１０４」に対応する容器ＩＤ「０Ｄ」をＩＣタグに記憶した遊技媒体容器２００に故意に移し変えるという不正行為が行われることがあり得る。また有価価値の異なる遊技媒体を遊技媒体容器２００に追加されることが考えられる。すなわち１個の価値が低い遊技媒体を価値が高い遊技媒体の入った遊技媒体容器２００に混入される場合である。
【００７９】
この場合、当該遊技機１０００の天板５０に遊技媒体容器２００が載置されたとき、容器媒体重量計４は、当該遊技媒体容器２００中の遊技媒体の個数を重量から見積もる。風袋である遊技媒体容器２００の重量はＩＣタグに予め記憶されており、容器媒体重量計４で計量された重量から、記憶されている遊技媒体容器２００の重量を減算し、遊技媒体１個の重量で除算することにより遊技媒体の個数が見積もられる。容器媒体重量計４がその遊技媒体容器２００内の遊技媒体の数を計数して見積もると、各遊技機１０００に対応する遊技情報発信装置１０から遊技媒体数情報を正当性判定装置４０に出力させるようにする。
【００８０】
これにより、正当性判定装置４０では、遊技媒体容器２００のＩＣタグに記憶された容器ＩＤ「０Ａ」と、予め設定された容器ＩＤ「０Ｄ」とを照合するとともに、容器媒体重量計４によって見積もられた遊技媒体容器２００の遊技媒体数情報と、遊技機ＩＤ「１０４」の遊技機１０００に対応する遊技情報発信装置１０から出力された遊技媒体数情報とを照合するので、計数された遊技媒体容器２００の遊技媒体数と、遊技機ＩＤ「１０４」の遊技機１０００から出力された遊技媒体数情報とが一致していないと判定されて、管理装置６の警報装置７が作動される。
【００８１】
これにより、遊技機ＩＤ「１０１」の遊技機１０００から払い出された遊技媒体を、遊技機ＩＤ「１０４」に対応する容器ＩＤ「０Ｄ」がＩＣタグに記憶された遊技媒体容器２００に移し変えるという不正行為でも発見することができる。また、発射停止装置８は、遊技機１０００の遊技媒体発射ハンドルに対して遊技媒体の発射を強制的に停止させる発射停止信号を出力し、次の遊技の進行を停止させる。これにより、不正行為をした遊技者がさらに遊技を進行するのを未然に防止することができる。
【００８２】
このようにして、遊技者が遊技媒体容器２００を天板５０上に近接し載置した段階で不正行為が発見されるので、不正行為を迅速に発見することができる。また、遊技者が不正行為であることに気付かずに遊技機１０００から他の遊技機１０００に移動する場合、遊技者はわざわざ遊技媒体計数機３へ遊技媒体を計数しに行かなくても不正行為に気が付くので、故意に不正行為を行っていない遊技者に対して手間を掛けさせなくて済む。さらに、簡易な構成で遊技者に対して不正行為を報知することが可能になる。このように、不正行為を迅速に、かつ確実に防止することができる。
【図面の簡単な説明】
【００８３】
【図１】本発明の遊技管理システムの第１の実施の形態の概念図。
【図２】遊技情報発信装置，遊技情報記憶装置，遊技情報受信装置の構成例を示すブロック図。
【図３】遊技情報発信装置，遊技情報記憶装置，遊技情報受信装置の別の構成例を示すブロック図。
【図４】遊技情報記憶装置の設置例を示す説明図。
【図５】遊技情報発信装置の設置例を示す説明図。
【図６】遊技情報受信装置の設置例を示す説明図。
【図７】第１の実施の形態における遊技情報記憶装置が記憶する内容を示す説明図。
【図８】第１の実施の形態における遊技情報記憶装置が発信する内容を示す説明図。
【図９】本発明の遊技管理システムの第２の実施の形態の概念図。
【図１０】遊技場のレイアウトを示す説明図。
【符号の説明】
【００８４】
１…遊技機島
２…遊技媒体貸出機
３…遊技媒体計数機
４…容器媒体重量計
１０…遊技情報発信装置
２０…遊技情報記憶装置
３０…遊技情報受信装置
４０…正当性判定装置
２００…遊技媒体容器
１０００…遊技機
【図１】
2005218729.tif 000003
【図２】
2005218729.tif 000004
【図３】
2005218729.tif 000005
【図４】
2005218729.tif 000006
【図５】
2005218729.tif 000007
【図６】
2005218729.tif 000008
【図７】
2005218729.tif 000009
【図８】
2005218729.tif 000010
【図９】
2005218729.tif 000011
【図１０】
2005218729.tif 000012